【事件の表示】
　特願２００９−２０２０６２「通信システム、マッピング情報通知装置、マッピング情報通知方法及びプログラム」拒絶査定不服審判事件〔平成２３年　３月１７日出願公開、特開２０１１−　５５２３６、請求項の数（７）〕について、次のとおり審決する。
【結　論】
　原査定を取り消す。
　本願の発明は、特許すべきものとする。
【理　由】
１．手続の経緯と本願発明 
　本願は、平成２１年　９月　１日を出願日とする出願であって、平成２５年　７月　２日付けで拒絶査定がなされ、これに対し、平成２５年　９月　２日付けで審判請求がなされたものである。
　本願の特許請求の範囲の請求項１〜７に係る発明は、平成２５年　６月１７日付けの手続補正書によって補正された特許請求の範囲の請求項１〜７に記載された以下のとおりのものと認める。
　
「　【請求項１】
　パケットの送信元ＩＤと送信先ＩＤの組と該パケットの送信元ロケータとを対応付ける対応表を保持する対応表保持装置と、
　送信先ＩＤと送信先ロケータとを対応付けたマッピング情報を保持する複数のパケット中継装置と、を備え、
　前記複数のパケット中継装置は、それぞれ、配下の端末の移動を検出した場合、該端末のＩＤを送信先ＩＤとしたときに前記対応表において該送信先ＩＤに対応付けられた送信元ロケータを前記対応表保持装置に問い合わせ、得られた送信元ロケータに含まれるパケット中継装置に対して、該端末の移動後のロケータに応じてマッピング情報を変更するように通知する、通信システム。
　　【請求項２】
　前記対応表保持装置は、他の対応表保持装置との間で前記対応表を分散して保持する、請求項１に記載の通信システム。
　　【請求項３】
　前記複数のパケット中継装置は、それぞれ、配下の端末の移動を検出した場合、該端末のＩＤを送信先ＩＤとしたときに前記対応表において該送信先ＩＤに対応付けられた送信元ロケータを、前記対応表を分散保持する複数の対応表保持装置に問い合わせ、得られた送信元ロケータに含まれるパケット中継装置に対して、該端末の移動後のロケータに応じてマッピング情報を変更するように通知する、請求項２に記載の通信システム。
　　【請求項４】
　対応表保持装置が、パケットの送信元ＩＤと送信先ＩＤの組と該パケットの送信元ロケータとを対応付ける対応表を記憶装置に保持する工程と、
　複数のパケット中継装置が、それぞれ、送信先ＩＤと送信先ロケータとを対応付けたマッピング情報を保持する工程と、
　前記複数のパケット中継装置が、それぞれ、配下の端末の移動を検出した場合、該端末のＩＤを送信先ＩＤとしたときに前記対応表において該送信先ＩＤに対応付けられた送信元ロケータを前記対応表保持装置に問い合わせる工程と、
　得られた送信元ロケータに含まれるパケット中継装置に対して、前記端末の移動後のロケータに応じてマッピング情報を変更するように通知する工程と、を含む、マッピング情報通知方法。
　　【請求項５】
　前記対応表保持装置が、他の対応表保持装置との間で前記対応表を分散して保持する工程をさらに含む、請求項４に記載のマッピング情報通知方法。
　　【請求項６】
　前記複数のパケット中継装置が、それぞれ、配下の端末の移動を検出した場合、該端末のＩＤを送信先ＩＤとしたしたときに前記対応表において該送信先ＩＤに対応付けられた送信元ロケータを、前記対応表を分散保持する複数の対応表保持装置に問い合わせる工程と、
　得られた送信元ロケータに含まれるパケット中継装置に対して、前記端末の移動後のロケータに応じてマッピング情報を変更するように通知する工程と、を含む、請求項５に記載のマッピング情報通知方法。
　　【請求項７】
　送信先ＩＤと送信先ロケータとを対応付けたマッピング情報を保持し、
　配下の端末の移動を検出した場合、該端末のＩＤを送信先ＩＤとしたときに、該送信先ＩＤに対応付けられた送信元ロケータを、パケットの送信元ＩＤと送信先ＩＤの組と該パケットの送信元ロケータとを対応付ける対応表を保持する対応表保持装置に問い合わせ、得られた送信元ロケータに含まれるパケット中継装置に対して、該端末の移動後のロケータに応じてマッピング情報を変更するように通知する、パケット中継装置。」 
　
２．引用例
　これに対して、原査定の拒絶理由に引用された米国特許出願公開第２００９／０１４７７５９号明細書（以下、「引用例」という。）には、「METHOD AND APPARATUS FOR SUPPORTING MOBILITY OF NODE USING LAYER 2/LAYER 3 ADDRESSES」(レイヤー２／レイヤー３アドレスを使用するノードの可動性をサポートする方法及び装置)（（　）は当審仮訳。以下も同様。）として、図面とともに以下の事項が記載されている。
 　
イ．「［0002］1. Field of the Invention
［0003］The present invention relates to an Internet Protocol(IP)-based network, and more particularly, to a technology for supporting mobility of a mobile node(MN).」（１頁左欄）
（［0002］１．発明の分野
［0003］この発明は、インターネットプロトコル（IP）に基づくネットワーク、特に、モバイルノード（MN)の可動性をサポートするための技術に関する。）
　
ロ．「［0006］Technologies for supporting mobility of a mobile node(MN) on a general IP-based network include a mobile IP(MIP) defined by the Internet Engineering Task Force(IETF). Such IP-based mobility supporting technologies operate on Layer 3(L3), so they are called L3 mobility technologies. The L3 mobility technologies operate when processing related to movement of a mobile node on a Layer 2(L2) is complete, and perform processes of registration to a location manager and message transmission through L3 routing for the registration. During the processes, time delay is generated, the mobile node cannot perform communications for the delayed time, and communications may be even interrupted if the delay time is too long. For this reason, fast mobility processing becomes an important technical element in mobility technologies, and accordingly, new approach and improvement on existing L3 mobility technologies are required.」（１頁左欄）
（［0006］一般的なIPベースのネットワークにおけるモバイルノード（MN）の可動性をサポートする技術は、インターネットエンジニアリングタスクフォース（IETF）によって定義されるモバイルIP（MIP)を含む。このようなIPベースの可動性をサポートする技術は、レイヤー３（L3)上で動作し、そこで、それらは、L3の可動性技術と呼ばれる。L3の可動性技術は、レイヤー２（L2)上のモバイルノードの移動に関する処理が完了するときに動作し、位置管理装置への登録過程及び登録のためのL3ルーティングによるメッセージ転送を実行する。この過程において、時間遅延が生じ、モバイルノードは、遅延時間のために通信をすることがでず、遅延時間が長すぎると、通信は遮断されうる。このため、可動性技術において、速やかな可動性の処理が重要な技術要素となり、したがって、既存のL3の可動性技術における新しいアプローチ及び改良が求められる。）
　
ハ．「［0007］The present invention provides a method for minimizing delay due to processing of mobility of a mobile node.
［0008］According to an aspect of the present invention, there is provided a method of supporting mobility of a mobile node, the method performed by a plurality of agents that connect a plurality of access networks to an Internet protocol core network integrating the plurality of access networks, the method including: acquiring address information of a mobile node connected to an access point from the access point; transmitting the address information of the mobile node and layer 3 address information of an agent to a management unit which is located on the Internet protocol core network and manages the plurality of access networks, and registering a location of the mobile node in the management unit; transmitting the layer 3 address information of the agent to the mobile node, in order to allow the mobile node to transmit a data packet to the agent; and receiving and transmitting the data packet between the mobile node and a correspondent node on the basis of the address information of the mobile node and information registered in the management unit.」（１頁左欄）
（［0007］この発明は、モバイルノードの可動性による遅延を最小化するための方法を提供する。
［0008］この発明の１面によると、モバイルノードの可動性をサポートする方法、複数のアクセスネットワークを統合するインターネットプロトコルのコアネットワークに複数のアクセスネットワークを接続する複数のエージェントによって実行される方法が提供される。その方法は、次のことを含む。アクセスポイントから、アクセスポイントに接続されたモバイルノードのアドレス情報を取得すること、モバイルノードのアドレス情報及びエージェントのレイヤー３アドレス情報をインターネットプロトコルのコアネットワークに位置し、複数のアクセスネットワークを管理する管理ユニットに送信すること、及び、管理ユニットにモバイルノードの位置を登録すること、モバイルノードがデータパケットをエージェントに送信できるようにするため、モバイルノードにエージェントのレイヤー３アドレス情報を送信すること、及び、モバイルノードのアドレス情報及び管理ユニットに登録された情報に基づいて、モバイルノードと相手ノードとの間でデータパケットを受信及び送信すること。）
　
ニ．「［0013］Therefore, a high-speed mobility service for a mobile node is provided in an IP network environment. Accordingly, it is possible to reduce delay due to mobility processing through a L2 trigger function and high-speed mobility signaling through a predetermined control channel. Particularly, it is possible to provide a high-speed mobility supporting service which can quickly perform mobility processing through a L2 trigger when a node moves, allow fast message transmission through a pre-set control channel between HCA and MICS, and omit a process of transmitting information separately to a mobile node or to a correspondent node through tunneling supported by each HCA.」（２頁左欄）
（［0013］そのため、IPネットワーク環境において、モバイルノードに対する高速な可動性サービスが提供される。したがって、L2トリガー機能及び予め決められた制御チャネルを介しての高速な可動性シグナリングにより、可動性の処理による遅延を低減することができる。特に、ノードが移動するとき、L2トリガーを介して、素早く、可動性の処理を実行することができる高速な可動性をサポートするサービスを提供し、HCAとMICSの間のプリセットされた制御チャネルを介して、速いメッセージ伝送を可能とし、各HCAによってサポートされるトンネリングにより、モバイルノード又は相手ノードに、別々に、情報を伝送する過程をなくすことができる。）
　
ホ．「［0028］FIG. 1  shows a configuration of a network environment according to an embodiment of the present invention.
［0029］An access point(hereinafter, referred to as an AP) 200 - 1, 200 - 2 or 200 - 3, which is a wireless access device, can communicate with a network connection equipment for connecting an access network to an Internet Protocol(IP) core network. In this specification, the network connection equipment, which is a mobility supporting apparatus for supporting mobility of a node, is called a Handover Control Agent(HCA) 300 - 1, 300 - 2 or 300 - 3. An AP(for example, AP#1 200 - 1 ) extracts a L2 address of a mobile node 100 through a Layer 2(L2) connection with the mobile node 100, and transmits the L2 address of the mobile node 100 to a HCA(for example, HCA# 1 300 - 1 ) which is in a local area.
［0030］The HCA#1 300 - 1 is located in an edge area on the IP core network, and maintains and manages information, such as permanent addresses(PAs), L2 addresses, and local addresses (LAs) of nodes that belong to the corresponding area, and information for interfacing with the AP#1 200 - 1 in which the nodes are located, wherein the PAs means IP addresses not changed when the nodes perform handover to another access network area, and the information is managed in the form of a local node address management table(LNAT). Also, the HCA#1 300 - 1 manages permanent addresses of correspondent nodes with which the nodes located in the access network area to which the HCA#1 300 - 1 belongs want to communicate, L3 addresses of HCAs in which the correspondent nodes are located, and addresses of tunnel interfaces to the HCAs in which the correspondent nodes are located. The address information is managed in the form of a correspondent node address management table(CNAT) illustrated in FIG. 8. Also, the HCA#1 300 - 1 performs encapsulation and decapsulation on data packets. For example, the HCA#1 300 - 1 encapsulates a data packet received from the mobile node 100 and transmits the encapsulated data packet to a correspondent node 500, and decapsulates a data packet received for the correspondent node 500 and transmits the decapsulated data packet to the mobile node 100.」（２頁右欄）
（［0028］図１は、この発明の実施例に従ったネットワーク環境の構成を示す。
［0029］無線アクセスデバイスであるアクセスポイント（以下、「AP」という。）200−1、200−2又は200−3）は、アクセスネットワークをインターネットプロトコル（IP）コアネットワークに接続するためのネットワーク接続機器と通信することができる。この明細書において、ノードの可動性をサポートするための可動性サポート装置であるネットワーク接続機器は、ハンドオーバーコントロールエージェント（HCA）300−1、300−2又は300−3と呼ばれる。AP（例えば、AP#1 200−1）は、モバイルノード100とのレイヤー２（L2）接続を介してモバイルノード100のL2アドレスを抽出し、モバイルノード100のL2アドレスをローカルエリアにあるHCA（例えば、HCA#1 300−1）に伝送する。
［0030］HCA#1 300−1は、IPコアネットワークの端部エリアに位置し、対応するエリアに属するノードのパーマネントアドレス（PAs）、L2アドレス及びローカルアドレス（LAs）のような情報、及び、ノードが位置するAP#1 200−1のインターフェースに関する情報を保持、管理する。ここで、PAsは、ノードが他のアクセスネットワークエリアへのハンドオーバーを実行するときに変わらないIPアドレスを意味し、情報は、ローカルノードアドレス管理テーブル（LNAT）の形式で管理される。また、HCA#1 300−1は、HCA#1 300−1が属するアクセスネットワークに位置するノードが通信を希望する相手ノードのパーマネントアドレス、相手ノードが位置するHCAのL3アドレス及び相手ノードが位置するHCAへのトンネルインターフェースのアドレスを管理する。アドレス情報は、図８に記載された相手ノードアドレス管理テーブル（CNAT）の形式で管理される。また、HCA#1 300−1は、モバイルノード100から受信するデータパケットをカプセル化し、相手ノード500にカプセル化されたデータパケットを送信し、相手ノード500から受信したデータパケットを非カプセル化し、モバイルノード100に非カプセル化されたデータパケットを送信する。）
　
ヘ．「［0031］Meanwhile, a mobility information control server(MICS) 400 located on the IP core network functions to manage the locations of the nodes, and may be installed in a high-performance server, router or switch. The MICS 400 receives information about L2 addresses and local addresses(LAs) of the nodes and L3 addresses of HCA#1 300 - 1, HCA#2 300 - 2, and HCA#3 300 - 3 in which the nodes are located, from the HCA#1 300 - 1, HCA#2 300 - 2, and HCA#3 300 - 3, and maintains and manages the information. The information is managed in the form of a global location management table(GLMT) illustrated in FIG. 9. Also, the MICS 400 maintains and manages information about communication connections between the nodes, and the information is managed in the form of a communicating node mapping table(CNMT) illustrated in FIG. 10. The MICS 400 which manages the GLMT and CNMT provides the information to the HCA#1 300 - 1, HCA#2 300 - 2, and HCA#3 300 - 3.
［0032］There is at least one dynamic control channel or at least one pre-set control channel between the MICS 400 and a HCA(for example, HCA#1 300 - 1). The control channel may be used for traffics to process mobility of the nodes. ・・・（中略）・・・」（２頁右欄〜３頁左欄）
（［0031］一方、IPコアネットワークに位置する可動性情報コントロールサーバー（MICS）400は、ノードの位置を管理するために機能し、高性能なサーバー、ルーター又はスイッチに実装することができる。MICSは、ノードのL2アドレス及びローカルアドレス（LAs）、及び、ノードが位置するHCA#1 300−1、HCA#2 300−2及びHCA#3 300−3のL3 アドレスに関する情報をHCA#1 300−1、HCA#2 300−2及びHCA#3 300−3から受信し、その情報を保持、管理する。その情報は、図９に記載されたグローバルロケーション管理テーブル（GLMT）の形式で管理される。また、MICS 400は、ノード間の通信コネクションに関する情報を保持、管理し、その情報は、図１０に記載された通信ノードマッピングテーブル（CNMT）の形式で管理される。GLMT及びCNMTを管理するMICS 400は、その情報をHCA#1 300−1、HCA#2 300−2及びHCA#3 300−3に提供する。
［0032］MICS 400とHCA（例えば、HCA#1 300−1）の間には、少なくとも１つの動的制御チャネル又は少なくとも１つのプリセットされた制御チャネルがある。制御チャネルは、ノードの可動性を処理するためのトラフィック用に使用することができる。・・・（中略）・・・）
　
ト．「［0041］The HCA#1 300 - 1 and HCA#3 300 - 3 that receive the messages add information about the PAs and the L3 addresses of the other party HCAs included in the received messages, to CNATs stored in the respective HCA#1 300 - 1 and HCA#3 300 - 3. Through this process, information about the PAs of the other parties and the L3 addresses of the other party HCAs required for communications between the mobile node 100 and the correspondent node 500 is registered in the CNAT of the HCA#1 300 - 1 and the CNAT of the HCA#3 300 - 3. ・・・（中略）・・・」（４頁左欄）
（［0041］メッセージを受信するHCA#1 300 - 1及びHCA#3 300 - 3は、受信したメッセージに含まれるPA及び他者のHCAのL3アドレスに関する情報を、それぞれのHCA#1 300 - 1 及びHCA#3 300 - 3に蓄積されたCNATへ加える。この過程を通して、モバイルノード100と相手ノード500との間の通信に必要な他者のPA及び他者のHCAのL3アドレスが、HCA#1 300 - 1のCNAT及びHCA#3 300 - 3のCNATに登録される。・・・（中略）・・・）
　
チ．「［0044］FIG. 4 is a flowchart for explaining a handover process when a node moves to a new access network area. FIG. 4 shows a process of registering in a MICS 400 a L3 address of a HCA#2 300 - 2 of a new access network area to which the mobile node 100 moves in order to achieve fast handover processing and stable communications with a correspondent node 500, and of performing communications between the HCA#2 300 - 2 and a HCA#3 300 - 3, when the mobile node 100 performing the data communication process described above with reference to FIG. 3 moves to the new access network area. Also, the process illustrated in FIG. 4 includes an operation of allocating a new LA address to the mobile node 100 when the moving node 100 requests a LA address.
［0045］When the moving node 100 moves to a new access network area, as illustrated in FIG. 1, an association request for establishing a wireless channel with an AP#2 200 - 2 is generated, and a L2 handoff process is performed according to a response to the association request (operations S405 and S410). In the L2 handoff process, the AP#2 200 - 2 acquires an L2 address of the mobile node 100 through an L2 trigger function, and transmits the L2 address of the mobile node 100 to a HCA#2 300 - 2 using a location report message(operation S415). The HCA#2 300 - 2 records the L2 address of the mobile node 100 in an LNAT. In some cases, the HCA#2 300 - 2 generates an LA that is to be temporarily allocated to the mobile node 100 and records the LA in the LNAT. The HCA#2 300 - 2 transmits an address information message including information about the LA and a L3 address of the HCA#2 300 - 2 to the mobile node 100, and simultaneously transmits a location registration message including a L2 address of the mobile node 100, the LA and the L3 address of the HCA#2 300 - 2, to the MICS 400, through a pre-set control channel(operations S420 and 425). The mobile node 100 receives the address information message, and transmits a response message to the HCA#2 300 - 2(operation S440).」（４頁左〜右欄）
（［0044］図４は、ノードが新しいアクセスエリアへ移動するときのハンドオーバーの過程を説明するためのフローチャートである。図４は、MICS 400にモバイルノード100が、素早いハンドオーバー処理と相手ノード500との安定した通信を行うために移動する新しいネットワークエリアのHCA#2 300 - 2のL3アドレスを登録し、図３に関連して上記に記載したデータ通信課程を実行するモバイルノード100が新しいアクセスネットワークエリアに移動するとき、HCA#2 300−2とHCA#3 300−3との間で通信を実行するための過程を示す。また、図４に記載された過程は、移動ノード100がLAアドレスを要求するとき、モバイルノード100に新しいLAアドレスを割り当てる動作も含む。
［0045］図１に記載されるように、移動ノード100が新しいアクセスネットワークエリアに移動するとき、AP#2 200−2と無線チャネルを確立するための連絡要求が生成され、L2ハンドオフ過程が、連絡要求への応答に従って実行される（S405及びS410の動作）。L2ハンドオフ過程において、AP# 2 200 - 2は、L2トリガー機能を通じて、モバイルノード100のL2アドレスを取得し、位置報告メッセージを利用して、HCA# 2 300 - 2にモバイルノード100のL2アドレスを送信する（S415の動作）。HCA#2 300 - 2は、モバイルノード100のL2アドレスをLNATに登録する。いくつかの場合には、HCA#2 300 - 2は、モバイルノード100に一時的に割り当てることになるLAを生成し、そのLAをLNATに登録する。HCA#2 300 - 2は、HCA#2 300 - 2のLA及びL3アドレスに関する情報を含むアドレスっ情報メッセージをモバイルノード100に送信し、同時に、モバイルノード100のL2アドレス、HCA#2 300 - 2のLA及びL3アドレスを含む位置登録メッセージをプリセットされた制御チャネルを介して、MICS 400へ送信する（S420及びS425の動作）。モバイルノード100は、アドレス情報メッセージを受信し、the HCA#2 300 - 2へ応答メッセージを送信する（S440の動作）。）
　
リ．「［0046］Meanwhile, the MICS 400 updates the L2 address of the mobile node 100, the LA, and the L3 address of the HCA#2 300 - 2, which exist in the GLMT, using the location registration message received from the HCA#2 300 - 2. If a record for the mobile node 100 exists in the CNMT, the mobile node 100 transmits to the HCA#2 300 - 2 a location information transfer message including a list of PAs of all correspondent nodes with which the mobile node 100 can communicate and L3 addresses of HCAs of network areas in which the correspondent nodes are located(operation S430). The HCAs which receive the location information transfer message from the MICS 400 update respective CNATs. Thereafter, the HCA#2 300 - 2 and HCA#3 300 - 3 perform tunneling on the basis of the CNAT information updated when a data packet is transferred (operations S445 , S450 , S455 , and S460).」（４頁右欄）
（［0046］一方、MICS 400は、HCA#2 300 - 2から受信する位置登録メッセージを用いて、GLMTに存在するモバイルノード100のL2アドレス、HCA#2 300 - 2のLA及びL3アドレスを更新する。モバイルノード100に関する記録がCNMTに存在するなら、モバイルノード100は、モバイルノード100が通信することができるすべての相手ノードのPAのリスト及び相手ノードが位置するネットワークエリアのHCAのL3アドレスを含む位置情報転送メッセージをHCA#2 300 - 2へ送信する（S430の動作）。MICS 400から位置情報転送メッセージを受信したHCAは、それぞれのCNATを更新する。その後、HCA#2 300 - 2とHCA#3 300 - 3は、データパケットが転送されるとき、更新されたCNAT情報に基づいて、トンネリングを実行する（S445、S450、S455及びS460の動作）。）
　
ヌ．「［0051］As illustrated in FIG. 6, the MICS 400 includes a central management unit 410 and an information provider 420. The central management unit 410 manages information about locations and communication states of nodes.・・・（中略）・・・Then, the central management unit 410 records communication connection information between the mobile node and the correspondent node in a CNMT.
［0052］Then, if the mobile node moves to another access network area while the mobile node 100 communicates with an access network area, a HCA#2 300 - 2 of another access network area transmits the L2 address and LA of the mobile node and L3 address information of the HCA#2 300 - 2 to a MICS 400. The central management unit 410 of the MICS 400 receives the L2 address and LA of the mobile node and the L3 address information of the HCA#2 300 - 2, thus updating the GLMT. Then, the information providing unit 420 searches for the CNMT to check the correspondent node communicating with the mobile node, and transmits the PA address of the mobile node and the L3 address information of the HCA#2 300 - 2 to the correspondent node. ・・・（中略）・・・」（５頁左欄）
（［0051］図６に記載されるように、MICS 400は、中央管理ユニット410と情報プロバイダー420を含む。中央管理ユニット410は、ノードの位置及び通信状態に関する情報を管理する。・・・（中略）・・・そして、中央管理ユニット410は、CNMTにおけるモバイルノードと相手ノードとの間の通信コネクション情報を記録する。
［0052］そして、モバイルノード100がアクセスネットワークエリアと通信する間に、モバイルノードが他のアクセスネットワークエリアに移動する場合、他のアクセスネットワークエリアのHCA#2 300 - 2は、モバイルノードのL2アドレス及びLAとHCA#2 300-2のL3アドレス情報をMICS 400に送信する。MICS 400の中央管理ユニット410は、モバイルノードのL2アドレス及びLAとHCA#2 300-2のL3アドレス情報を受信し、GLMTを更新する。そして、情報提供するユニット420は、モバイルノードと通信している相手ノードをチェックするためにCNMTを検索し、モバイルノードのPAアドレスとHCA#2 300 - 2のL3アドレス情報を相手ノードに送信する。・・・（中略）・・・）
　
　上記引用例の記載及び図面並びにこの分野の技術常識を考慮すると、
Ａ．上記イ．ハ．及びニ．の記載から、引用例には、「モバイルノード」の「移動」を「サポートする」ための手段が記載されていると認められ、同ホ．及びヘ．の記載及び図１から、当該手段は、「インターネットプロトコル（IP）コアネットワーク」で相互に接続される「可動性情報コントロールサーバー（MICS）」と複数の「ハンドオーバーコントロールエージェント（HCA)」、「ハンドオーバーコントロールエージェント（HCA)」に接続される「アクセスポイント（AP）」等の機器／装置を備えることが明らかであり、通信システムといえる。
Ｂ．上記ホ．［0030］の「Also, the HCA#1 300 - 1 manages permanent addresses of correspondent nodes with which the nodes located in the access network area to which the HCA#1 300 - 1 belongs want to communicate, L3 addresses of HCAs in which the correspondent nodes are located, and addresses of tunnel interfaces to the HCAs in which the correspondent nodes are located. The address information is managed in the form of a correspondent node address management table(CNAT) illustrated in FIG. 8.」（また、HCA#1 300−1は、HCA#1 300−1が属するアクセスネットワークに位置するノードが通信を希望する相手ノードのパーマネントアドレス、相手ノードが位置するHCAのL3アドレス及び相手ノードが位置するHCAへのトンネルインターフェースのアドレスを管理する。アドレス情報は、図８に記載された相手ノードアドレス管理テーブル（CNAT）の形式で管理される。）という記載及び図８から、「HCA」は、「HCA」に位置する「モバイルノード」が通信しようとする「相手ノード」の「パーマネントアドレス（PA)」と当該「相手ノード」が位置する「HCA」の「L3アドレス」を対応付けた「相手ノードアドレス管理テーブル（CNAT）」を保持することが明らかである。
　さらに、上記ト．の記載及び同リ．の「The HCAs which receive the location information transfer message from the MICS 400 update respective CNATs.」（MICS 400から位置情報転送メッセージを受信したHCAは、それぞれのCNATを更新する。）という記載から、「HCA#1 300 - 1」、「HCA#2 300 - 2」等の複数の「HCA」が、上記「CNAT」を保持することが明らかである。
Ｃ．上記ヘ．［0031］の記載及び図９、１０から、引用例に記載された「MICS」は、「ノード（モバイルノード）」の「L2アドレス」、「パーマネントアドレス（PA）」及び「ローカルアドレス（LA）」と「ノード」が位置する「HCA#1 300−1」、「HCA#2 300−2」及び「HCA#3 300−3」等の「HCA」の「L3 アドレス」とを対応付けた「グローバルロケーション管理テーブル（GLMT）」と「ノード間の通信コネクションに関する」「通信ノードマッピングテーブル（CNMT）」を保持することが明らかである。
　ここで、上記ヘ．［0031］の「Also, the MICS 400 maintains and manages information about communication connections between the nodes, and the information is managed in the form of a communicating node mapping table(CNMT) illustrated in FIG. 10.」（また、MICS 400は、ノード間の通信コネクションに関する情報を保持、管理し、その情報は、図１０に記載された通信ノードマッピングテーブル（CNMT）の形式で管理される。）及び同ヌ．［0052］の「Then, the information providing unit 420 searches for the CNMT to check the correspondent node communicating with the mobile node,・・・」（そして、情報提供するユニット420は、モバイルノードと通信している相手先ノードをチェックするためにCNMTを検索し、）という記載及び図１０から、引用例に記載された「CNMT」は、「モバイルノード」の「PAアドレス」と当該「モバイルノード」と通信する「相手ノード」の「PAアドレス」を記録、保持するものと認められる。 
Ｄ．上記チ．［0045］の記載から、引用例の通信システムでは、「モバイルノード」が新しい「アクセスネットワークエリア」に移動すると、当該ネットワークエリアの「HCA」が、「モバイルノード」の「L2アドレス」と当該「HCA」の「LA」及び「L3アドレス」を「MICS」に送信するものと認められ、その際、「HCA」は、「モバイルノード」の移動を検出することは自明であり、当該「モバイルノード」は、「HCA」の配下のものといえる。
Ｅ．上記リ．の記載から、引用例の「MICS」は、「HCA」から受信した「モバイルノード」の「L2アドレス」と「HCA」の「LA」及び「L3アドレス」に基づいて、「GLMT」を更新するとともに、同リ．の「・・・a location information transfer message including a list of PAs of all correspondent nodes with which the mobile node 100 can communicate and L3 addresses of HCAs of network areas in which the correspondent nodes are located・・・. The HCAs which receive the location information transfer message from the MICS 400 update respective CNATs.」（・・・モバイルノード100が通信することができるすべての相手先ノードのPAのリスト及び相手ノードが位置するネットワークエリアのHCAのL3アドレスを含む位置情報転送メッセージ・・・MICS 400から位置情報転送メッセージを受信したHCAは、それぞれのCNATを更新する。）及び同ヌ．［0052］の「Then, the information providing unit 420 searches for the CNMT to check the correspondent node communicating with the mobile node,・・・」（そして、情報提供するユニット420は、モバイルノードと通信している相手先ノードをチェックするためにCNMTを検索し、）という記載から、引用例の「MICS」は、「HCA」の「CNAT」を更新するために、「モバイルノード」の「PA」と「ノード」位置する「HCA」の「L3アドレス」を含むメッセージを「CNMT」に含まれる該「モバイルノード」が通信する「相手ノード」が位置する「HCA」に送信するものと認められる。
Ｆ．上記ロ．の記載から、引用例において、「L2」、「L3」が、それぞれ「レイヤー２」、「レイヤー３」を意味し、「L2アドレス」、「L3アドレス」が、それぞれ「レイヤー２アドレス」、「レイヤー３アドレス」を意味することは明らかである。
　また、引用例の「モバイルノード」は、「ノード」といえることは明らかである。
　したがって、上記引用例には、以下の発明（以下、「引用発明」という。）が記載されていると認められる。 
　
「ノードのパーマネントアドレス（PA）と前記ノードが位置するハンドオーバーコントロールエージェント（HCA）のレイヤー３（L3）アドレスとを対応付けるグローバルロケーション管理テーブル（GLMT）と、前記ノードのパーマネントアドレス（PA）と前記ノードが通信する相手ノードのパーマネントアドレス（PA）を記録する通信ノードマッピングテーブル（CNMT）を保持する可動性情報コントロールサーバー（MICS）と、
　前記相手ノードのパーマネントアドレス（PA)と前記相手ノードが位置するハンドオーバーコントロールエージェント（HCA）のレイヤー３アドレス（L3）を対応付けた相手ノードアドレス管理テーブル（CNAT）を保持する複数のハンドオーバーコントロールエージェント（HCA）と、を備え、
　前記複数のハンドオーバーコントロールエージェント（HCA）は、配下のノードの移動を検出した場合、前記ノードのレイヤー２（L2)アドレスと前記ハンドオーバーコントロールエージェント（HCA）のレイヤー３（L3）アドレスを前記可動性情報コントロールサーバー（MICS）に送信し、前記可動性情報コントロールサーバー（MICS）は、前記通信ノードマッピングテーブル（CNMT）に含まれる前記ノードが通信する相手ノードが位置するハンドオーバーコントロールエージェント（HCA）に対して、前記ノードが位置するハンドオーバーコントロールエージェント（HCA）のレイヤー３（L3)アドレスを含むメッセージに応じて相手ノードアドレス管理テーブル（CNAT）を更新させる、通信システム。」
　
３．対比 
　本願の請求項１に係る発明（以下、「本願発明」という。）と引用発明を比較すると、
イ．引用発明の「ノード」は、データパケットを送受信するものであるから、「端末」といえることは自明である。同様に、引用発明の「ハンドオーバーコントロールエージェント（HCA）」は、「ノード」からのデータパケットをインターネットプロトコル（IP）コアネットワークに送信し、該ネットワークからのデータパケットを「ノード」に向けて送信していることから、「中継装置」といえる。
　したがって、引用発明の「ノード」、「ハンドオーバーコントロールエージェント（HCA）」は、それぞれ本願発明の「端末」、「パケット中継装置」に相当する。
ロ．引用発明において、移動した「ノード（端末）」がデータの送信先となるような通信もあり得ることから、引用発明の「ノードのパーマネントアドレス（PA）」、「相手ノードのパーマネントアドレス（PA）」は、それぞれ本願発明の「送信先ＩＤ」、「パケットの送信元ＩＤ」に相当する。
　また、引用発明の「ノードが位置するハンドオーバーコントロールエージェント（HCA）のレイヤー３（L3）アドレス」と本願発明の「送信元ロケ−タ」は、いずれも端末が位置する、又は、接続するパケット中継装置を特定するものであって、本願明細書の記載から、「ロケータ」もＩＤの一種と認められるから、両者は、「パケット中継装置のロケータ」という点で一致する。
　すると、引用発明の「ノードのパーマネントアドレス（PA）と前記ノードが位置するハンドオーバーコントロールエージェント（HCA）のレイヤー３（L3）アドレスとを対応付けるグローバルロケーション管理テーブル（GLMT）と、前記ノードのパーマネントアドレス（PA）と前記ノードが通信する相手ノードのパーマネントアドレス（PA）を記録する通信ノードマッピングテーブル（CNMT）」と、本願発明の「パケットの送信元ＩＤと送信先ＩＤの組と該パケットの送信元ロケータとを対応付ける対応表」とは、「パケットの送信元ＩＤと送信先ＩＤと中継装置のロケータとを対応付ける対応表」という点で一致する。
ハ．引用発明の「可動性情報コントロールサーバー（MICS）」は、上記ロ．で検討した「対応表」を保持することから、以下の相違点を除いて、本願発明の「対応表保持装置」に相当する。
ニ．引用発明において、「相手ノード」がデータの送信先となるような通信もあり得ることから、引用発明の「前記相手ノードのパーマネントアドレス（PA)」と「前記相手ノードが位置するハンドオーバーコントロールエージェント（HCA）のレイヤー３アドレス（L3）」は、それぞれ本願発明の「送信先ＩＤ」、「送信先ロケータ」に相当し、引用発明の「前記相手ノードのパーマネントアドレス（PA)と前記相手ノードが位置するハンドオーバーコントロールエージェント（HCA）のレイヤー３（L3）アドレスを対応付けた相手ノードアドレス管理テーブル（CNAT）」は、本願発明の「送信先ＩＤと送信先ロケータとを対応付けたマッピング情報」に相当する。
ホ．引用発明の「前記通信ノードマッピングテーブル（CNMT）に含まれる前記ノードが通信する相手ノードが位置するハンドオーバーコントロールエージェント（HCA）」と本願発明の「該端末のＩＤを送信先ＩＤとしたときに前記対応表において該送信先ＩＤに対応付けられた送信元ロケータ」であって、該「送信元ロケータに含まれるパケット中継装置」とは、いずれも「所定のパケット中継装置」という点で一致する。
ヘ．引用発明の「前記可動性情報コントロールサーバー（MICS）は、前記通信ノードマッピングテーブル（CNMT）に含まれる該ノードが通信する相手ノードが位置するハンドオーバーコントロールエージェント（HCA）に対して、前記ノードが位置するハンドオーバーコントロールエージェント（HCA）のレイヤー３（L3)アドレスを含むメッセージに応じて相手ノードアドレス管理テーブル（CNAT）を更新させる」は、「更新させる」ように「メッセージ」を通知することは明らかであるから、引用発明の「前記複数のハンドオーバーコントロールエージェント（HCA）は、配下のノードの移動を検出した場合、前記ノードのレイヤー２（L2)アドレスと前記ハンドオーバーコントロールエージェント（HCA）のレイヤー３（L3）アドレスを前記可動性情報コントロールサーバー（MICS）に送信し、前記可動性情報コントロールサーバー（MICS）は、前記通信ノードマッピングテーブル（CNMT）に含まれる前記ノードが通信する相手ノードが位置するハンドオーバーコントロールエージェント（HCA）に対して、前記ノードが位置するハンドオーバーコントロールエージェント（HCA）のレイヤー３（L3)アドレスを含むメッセージに応じて相手ノードアドレス管理テーブル（CNAT）を更新させる」と、本願発明の「前記複数のパケット中継装置は、それぞれ、配下の端末の移動を検出した場合、該端末のＩＤを送信先ＩＤとしたときに前記対応表において該送信先ＩＤに対応付けられた送信元ロケータを前記対応表保持装置に問い合わせ、得られた送信元ロケータに含まれるパケット中継装置に対して、該端末の移動後のロケータに応じてマッピング情報を変更するように通知する」とは、以下の相違点を除き、「前記複数のパケット中継装置は、それぞれ、配下の端末の移動を検出した場合、所定のパケット中継装置に対して、該端末の移動後のロケータに応じてマッピング情報を変更するように通知する」という点で一致する。
　したがって、本願発明と引用発明は、以下の点で一致ないし相違する。
　
＜一致点＞ 
「パケットの送信元ＩＤと送信先ＩＤと中継装置のロケータとを対応付ける対応表を保持する対応表保持装置と、
　送信先ＩＤと送信先ロケータとを対応付けたマッピング情報を保持する複数のパケット中継装置と、を備え、
　前記複数のパケット中継装置は、それぞれ、配下の端末の移動を検出した場合、所定の中継装置に対して、該端末の移動後のロケータに応じてマッピング情報を変更するように通知する、通信システム。」
　
＜相違点＞ 
Ａ．上記「パケットの送信元ＩＤと送信先ＩＤと中継装置のロケータとを対応付ける対応表」に関して、本願発明は、「パケットの送信元ＩＤと送信先ＩＤの組と該パケットの送信元ロケータとを対応付ける対応表」であるのに対し、引用発明では、「ノードのパーマネントアドレス（PA）（送信先ＩＤ）と該ノードが位置するハンドオーバーコントロールエージェント（HCA）のレイヤー３（L3）アドレス（「送信先ロケータ」といえる。）を対応付けるグローバルロケーション管理テーブル（GLMT）と、前記ノードのパーマネントアドレス（PA）（送信先ＩＤ）と前記ノードが通信する相手ノードのパーマネントアドレス（PA）（送信元ＩＤ）を記録する通信ノードマッピングテーブル（CNMT）」である点。
Ｂ．上記「所定の中継装置に対して、該端末の移動後のロケータに応じてマッピング情報を変更するように通知する」に関し，本願発明は、「複数の中継装置」が、移動した「端末のＩＤを送信先ＩＤとしたときに前記対応表において該送信先ＩＤに対応付けられた送信元ロケータを前記対応表保持装置に問い合わせ、得られた送信元ロケータに含まれるパケット中継装置に対して」、通知するのに対し、引用発明では、「複数のハンドオーバーコントロールエージェント（HCA）」が、「前記（移動した）ノードのレイヤー２アドレス（L2)と前記ハンドオーバーコントロールエージェント（HCA）のレイヤー３アドレス（L3）」を「可動性情報コントロールサーバー（MICS）（対応表保持装置）に送信し」、「可動性情報コントロールサーバー（MICS）（対応表保持装置）」が、「通信ノードマッピングテーブル（CNMT）に含まれる前記（移動した）ノードが通信する相手ノードが位置するハンドオーバーコントロールエージェント（HCA）（パケット中継装置）に対して」、「前記（移動した）ノードが位置するハンドオーバーコントロールエージェント（HCA）のレイヤー３アドレス（L3)を含むメッセージ」を通知する点。
　
４．検討 
　まず、上記相違点Ｂ．について検討する。
　上記「引用例」のロ．［0006］の「During the processes, time delay is generated, the mobile node cannot perform communications for the delayed time, and communications may be even interrupted if the delay time is too long. For this reason, fast mobility processing becomes an important technical element in mobility technologies, and accordingly, new approach and improvement on existing L3 mobility technologies are required.」（この過程において、時間遅延が生じ、モバイルノードは、遅延時間のために通信をすることがでず、遅延時間が長すぎると、通信は遮断されうる。このため、可動性技術において、速やかな可動性の処理が重要な技術要素となり、したがって、既存のL3の可動性技術における新しいアプローチ及び改良が求められる。）、同ハ．［0007］の「The present invention provides a method for minimizing delay due to processing of mobility of a mobile node.」（この発明は、モバイルノードの可動性による遅延を最小化するための方法を提供する。）及び同［0008］の「・・・a high-speed mobility service for a mobile node is provided in an IP network environment. Accordingly, it is possible to reduce delay due to mobility processing through a L2 trigger function and high-speed mobility signaling through a predetermined control channel. Particularly, it is possible to provide a high-speed mobility supporting service which can quickly perform mobility processing through a L2 trigger when a node moves, allow fast message transmission through a pre-set control channel between HCA and MICS,・・・」（・・・IPネットワーク環境において、モバイルノードに対する高速な可動性サービスが提供される。したがって、L2トリガー機能及び予め決められた制御チャネルを介しての高速な可動性シグナリングにより、可動性の処理による遅延を低減することができる。特に、ノードが移動するとき、L2トリガーを介して、素早く、可動性の処理を実行することができる高速な可動性をサポートするサービスを提供し、HCAとMICSの間のプリセットされた制御チャネルを介して、速いメッセージ伝送を可能とし、・・・）の記載から、引用発明は、モバイルノードが移動する際の通信処理の遅延を少なくすることを目的の１つとするものと認められる。
　すると、引用発明において、移動した「ノードが通信する相手ノードのパーマネントアドレス（PA）を記録する通信ノードマッピングテーブル（CNMT）」を保持し、「ノード」が移動したことに関連する通知をしなければならない「相手ノードが位置するハンドオーバーコントロールエージェント（HCA）（パケット中継装置）」を知っている「可動性情報コントロールサーバー（MICS）（対応表保持装置）」が、直接、「相手ノードが位置するハンドオーバーコントロールエージェント（HCA）（パケット中継装置）」に、「ハンドオーバーコントロールエージェント（HCA）（パケット中継装置）」から受信した移動した「ノードが位置するハンドオーバーコントロールエージェント（HCA）のレイヤー３（L3)アドレス」を含む情報を通知することができるにも係わらず、当該「可動性情報コントロールサーバー（MICS）（対応表保持装置）」が、移動した「ノードが位置するハンドオーバーコントロールエージェント（HCA）（パケット中継装置）」に、移動した「ノードが通信する相手ノードが位置するハンドオーバーコントロールエージェント（HCA）（パケット中継装置）」を知らせるのみで、これに代わって、移動した「ノードが位置するハンドオーバーコントロールエージェント（HCA）（パケット中継装置）」が、移動した「ノードが位置するハンドオーバーコントロールエージェント（HCA）のレイヤー３（L3)アドレス」を含む情報を、移動した「ノードが通信する相手ノードが位置するハンドオーバーコントロールエージェント（HCA）（パケット中継装置）」に通知するよう構成することは、「可動性情報コントロールサーバー（MICS）（対応表保持装置）」と移動した「ノードが位置するハンドオーバーコントロールエージェント（HCA）（パケット中継装置）」との間の通信処理量を増やすことになるので、引用発明において、当該構成を採用する動機付けは存在しない。
　よって、端末が移動したことに関する情報を必要とする中継装置に通知する際に、移動した端末を配下とする中継装置が、通知先を把握している装置に通知先を問い合わせ、得られた通知先を用いて通知することが周知（例えば、特開２００８−２４４９２５号公報（【００２５】、【００２６】及び図９、１０、１２）参照。）であったとしても、引用発明に当該周知技術を採用する理由はなく、上記相違点（Ｂ）に係る構成は、引用発明及び周知技術から、当業者が容易に想到し得たものとはいえない。
　次に、上記相違点Ａ．について検討する。
　本願明細書【００１５】及び【００６２】等を参酌すると、本願発明において、「パケットの送信元ＩＤと送信先ＩＤの組と該パケットの送信元ロケータとを対応付ける」ことは、端末がパケットを送信するときの中継装置（ロケータ）と、同端末がパケットを受信するときの中継装置（ロケータ）が異なる非対称な通信経路、あるいは、送信先ＩＤ毎に異なる中継装置（ロケータ）を用いることに対応するためのものと解することができる。
　すると、引用発明では、非対称な通信経路、あるいは、送信先ＩＤ毎に異なる中継装置（ロケータ）を用いることに対応することは考慮されておらず、引用発明の「グローバルロケーション管理テーブル（GLMT）」と「通信ノードマッピングテーブル（CNMT）」から、「パケットの送信元ＩＤと送信先ＩＤの組と該パケットの送信元ロケータとを対応付ける」ように構成する必要性はなく、上記相違点Ａ．に係る構成は、引用発明及び周知技術から、当業者が容易に想到し得たものとはいえない。
　
　したがって、本願発明は、上記引用例に記載された発明及び周知技術に基づいて、当業者が容易に発明することができたものとすることはできない。
　そして、本願の請求項１に係る発明と同様の発明特定事項を有する同請求項４、７に係る発明、及び、同請求項１を引用する請求項２、３に係る発明、並びに、同請求項４を引用する請求項５、６に係る発明についても、上記と同様の理由により、上記引用例に記載された発明及び周知技術に基づいて、当業者が容易に発明することができたものとすることはできない。
　
５．むすび 
　以上のとおり、本願の請求項１〜７に係る発明は、上記引用例に記載された発明及び周知技術に基づいて、当業者が容易に発明をすることができたものとすることはできないから、原査定の理由によっては、本願を拒絶することはできない。
　また、他に本願を拒絶すべき理由を発見しない。 
　よって、結論のとおり審決する。